【手続補正書】
【提出日】平成28年10月20日(2016.10.20)
【手続補正１】
【補正対象書類名】明細書
【補正対象項目名】発明の名称
【補正方法】変更
【補正の内容】
【発明の名称】加温ブランケット
【手続補正２】
【補正対象書類名】特許請求の範囲
【補正対象項目名】全文
【補正方法】変更
【補正の内容】
【特許請求の範囲】
【請求項１】
加温ブランケットであって、
活性化アパーチャを有する内部不浸透層と、
外側シェルの内部に内部閉鎖部を形成するように前記内部不浸透層に動作可能に結合される外部層と
を備える外側シェルと、
前記内部閉鎖部の内部に配置されて、第１発熱反応物質を含む少なくとも一つの第１液体浸透ヒータを備える第１熱発生層と、
前記第１熱発生層の近くの前記内部閉鎖部の内部に配置される少なくとも一つの第１密封内袋と、
前記第１密封内袋の内部の第１活性液体と
を備えるヒータ活性化システムと
を備え、
前記活性液体が前記少なくとも一つの第１密封内袋から放出され、それによって前記活性液体が前記第１熱発生層に接触して前記少なくとも一つの第１液体浸透ヒータに浸透し、それによって前記活性液体が前記第１発熱反応物質と化合して加温ブランケット全体にわたって加熱された液体の保温層を形成する第１発熱反応を引き起こす、加温ブランケット。
【請求項２】
前記外側シェルの第１活性化アパーチャの内外に延びる第１活性化小片であって、前記外側シェルの内部に配置され且つ前記少なくとも一つの第１密封内袋に動作可能に結合される第１開封セグメントと、前記第１開封セグメントから前記外側シェルの外側へ外向きに延びて前記第１開封セグメントに動作可能に結合されるハンドルセグメントとを含む第１活性化小片をさらに備え、
前記ハンドルセグメントを引っ張ることによって前記少なくとも一つの第１密封内袋が開封して前記第１活性液体を前記内部閉鎖部内に放出する、請求項１に記載の加温ブランケット。
【請求項３】
前記熱発生層は、前記少なくとも一つの第１液体浸透ヒータを一体的に形成するようにキルト化される液体浸透シートを備える、請求項１又は２に記載の加温ブランケット。
【請求項４】
前記外側シェルの第１活性化アパーチャの内外に延びる第１活性化小片であって、前記外側シェルの内部に配置され且つ前記少なくとも一つの第１密封内袋に動作可能に結合される第１開封セグメントと、ユーザにより外部からアクセスされるように動作可能なハンドルセグメントとを含む第１活性化小片をさらに備え、
前記ハンドルセグメントを引っ張ることによって前記少なくとも一つの第１密封内袋が開封して前記第１活性液体を前記内部閉鎖部内に放出し、
前記ヒータ活性化システムは、前記外側シェルの内部に配置される少なくとも一つの第２密封内袋であって、第２活性液体を含む少なくとも一つの第２密封内袋をさらに備える、請求項１に記載の加温ブランケット。
【請求項５】
前記第１活性化小片は、前記外側シェルの内部に配置される第２開封セグメントであって、前記少なくとも一つの第２密封内袋に動作可能に結合される第２開封セグメントをさらに備え、
前記第１活性化小片の前記第２開封セグメントを引っ張ることによって前記少なくとも一つの第２密封内袋が開封して前記第２活性液体を前記内部閉鎖部内に放出し、
前記第２内袋から放出される第２活性液体の少なくとも一部は、前記保温層を増強する第２発熱反応を引き起こすように前記少なくとも一つの液体浸透ヒータに浸透して前記少なくとも一つの液体浸透ヒータ内に配置される第１発熱反応物質と化合する、請求項４に記載の加温ブランケット。
【請求項６】
前記第１活性化小片の前記ハンドルセグメントを引っ張ることによって前記少なくとも一つの第１密封内袋及び前記少なくとも一つの第２密封内袋を開封させる、請求項４に記載の加温ブランケット。
【請求項７】
前記第１活性化小片の前記ハンドルセグメントを引っ張ることによって前記第１内袋が開封された後に前記少なくとも一つの第２密封内袋が開封する、請求項６に記載の加温ブランケット。
【請求項８】
前記少なくとも一つの第１密封内袋を開封することは第１時間期間の間熱を発生する第１加熱段階を提供し、前記第１時間期間の終了後に前記少なくとも一つの第２密封内袋を開封することは第２加熱段階を提供し、前記ブランケットが加熱される合計時間期間を増加させる、請求項７に記載の加温ブランケット。
【請求項９】
前記第１及び第２加熱段階はそれぞれの熱発生率で熱を発生させ、前記第１及び第２加熱段階は異なる熱発生率で熱を発生させ、前記第２加熱段階の熱発生率は前記第１加熱段階の熱発生率よりも低く且つ/又は長期にわたる、請求項８に記載の加温ブランケット。
【請求項１０】
前記少なくとも一つの液体浸透ヒータは前記第２活性液体によって浸透され、前記第１活性液体は前記液体浸透ヒータに浸透しない、請求項９に記載の加温ブランケット。
【請求項１１】
前記ブランケットを液体的に隔離される第１及び第２内部チャンバに内分する少なくとも一つの内部隔壁と、
第２発熱反応物質を含む少なくとも一つの第２液体浸透ヒータを備える、前記外側シェルの内部に配置される第２熱発生層と
をさらに備え、
前記第２活性液体が前記少なくとも一つの第２密封内袋から放出され、それによって前記活性液体が前記第２熱発生層に接触して前記少なくとも一つの第２液体浸透ヒータに浸透し、それによって前記活性液体が前記第２発熱反応物質と化合して前記保温層を形成する第２発熱反応を引き起こし、
前記少なくとも一つの密封された第１内袋及び前記第１熱発生層はそれぞれ前記第１内部チャンバに配置され、
前記少なくとも一つの密封された第２内袋及び前記第２熱発生層はそれぞれ前記第２内部チャンバに配置される、請求項４に記載の加温ブランケット。
【請求項１２】
前記外側シェルは第２活性化アパーチャをさらに備え、前記第１活性化アパーチャは前記第１内部チャンバと流体的に連通し、前記第２活性化アパーチャは前記第２内部チャンバと流体的に連通している、請求項１１に記載の加温ブランケット。
【請求項１３】
前記ヒータ活性化システムは、前記外側シェルの前記第２活性化アパーチャを通って延びる第２活性化小片をさらに備え、前記第２活性化小片は、
前記第２内部チャンバの内外に延び且つ前記少なくとも一つの密封された第２内袋に動作可能に結合される第２開封セグメントと、
前記外側シェルの外部に延びる第２ハンドルセグメントと
を備え、
前記第２活性化小片の前記第２ハンドルセグメントを引っ張ることによって前記少なくとも一つの密封された第２内袋を開封して前記第２活性液体を前記第２内部チャンバの内部に放出し、
前記少なくとも一つの密封された第２内袋から放出される前記第２活性液体の少なくとも一部は、前記第２熱発生層に接触して前記少なくとも一つの第２液体浸透ヒータに浸透し、前記少なくとも一つの第２液体浸透ヒータ内の前記第２発熱反応物質と化合して前記第２発熱反応を引き起こす、請求項１２に記載の加温ブランケット。
【請求項１４】
前記少なくとも一つの密封された第１内袋はさらに、
前記第１活性液体を含む密封された活性化コンパートメントと、
前記密封された活性化コンパートメントと一体に形成された活性化シートであって、前記活性化シートを前記第１活性化小片に動作可能に結合されるせん断部分と、前記密封された活性化コンパートメントの下に折り畳まれ且つ前記外側シェルに定着される第１アンカー部分とに分割する、少なくとも第１せん断線を有する活性化シートと
を備え、
前記活性化小片の前記ハンドルセグメントを引っ張ることによって前記密封された活性化コンパートメントをせん断して開放し、前記第１活性液体を前記閉鎖部内に放出する、請求項２に記載の加温ブランケット。
【請求項１５】
前記活性化シートは、前記せん断部分を前記第１活性化小片に動作可能に結合されるせん断小片と、前記密封された活性化コンパートメントの下に折り畳まれ且つ前記外側シェルに定着される第２アンカー部分とに分割する第２せん断線をさらに備え、
前記活性化小片の前記ハンドルセグメントを引っ張ることによって前記密封された活性化コンパートメントをせん断して開放し、前記第１活性液体を前記閉鎖部内に放出する、請求項１４に記載の加温ブランケット。
【請求項１６】
前記せん断小片は前記活性化小片の前記第１開封セグメントと一体に形成される、請求項１５に記載の加温ブランケット。
【請求項１７】
前記外側シェルは前記ブランケットをユーザの付属肢の周りに巻き付ける取り付けデバイスをさらに備える、請求項１から１６のいずれか１項に記載の加温ブランケット。
【請求項１８】
前記取り付けデバイスは留め具付のストラップを備える、請求項１７に記載の加温ブランケット。
【請求項１９】
前記外側シェルの一対の対向する端部はユーザの付属肢を受容するためのスリーブを形成するように互いに結合される、請求項１７に記載の加温ブランケット。
【請求項２０】
前記ブランケットは衣服の中に形成される、請求項１から１９のいずれか１項に記載の加温ブランケット。
【請求項２１】
前記デバイスはそれぞれが異なる加熱特性を示す少なくとも二つの熱発生層をさらに備える、請求項１７から１９のいずれか１項に記載の加温ブランケット。
【請求項２２】
前記少なくとも一つの第１密封内袋は第１加熱段階を提供するために開封され、前記少なくとも一つの第２密封内袋は第２加熱段階を提供するために前記少なくとも一つの第１密封内袋の開封後に手で開封される、請求項１１に記載の加温ブランケット。
【請求項２３】
前記第１及び第２加熱段階は異なる熱発生率で熱を発生させ、前記第２加熱段階の熱発生率は前記第１加熱段階の熱発生率よりも低く且つ/又は長期にわたる、請求項２２に記載の加温ブランケット。
【請求項２４】
前記活性化アパーチャは所定量の水が前記内部閉鎖部内に導入された後に密封される負帰還弁をさらに含む、請求項１に記載の加温ブランケット。
【請求項２５】
前記弁は複数の結び付いた平坦なシートを備え、前記内部閉鎖部が水で満たされると前記シートは互いに密封させられる、請求項２４に記載の加温ブランケット。
【請求項２６】
前記外側シェルは前記保温層によって膨張する、請求項１から２５のいずれか１項に記載の加温ブランケット。